(57)【要約】【課題】特別の操作を行うことなく単にクリーニング用シートを挿入するだけでクリーニング動作を行うことのできる紙幣識別機のクリーニング方法を提案すること。【解決手段】紙幣識別機１のクリーニング方法では、紙幣識別機１の紙幣搬送経路部分をクリーニングするためのクリーニングカード２０に、紙幣識別機１の紙幣識別用の各ホトセンサ１５〜１７によって読み取り可能な識別情報を担持させ、紙幣識別用の各ホトセンサ１５〜１７の読み取り情報に基づき、クリーニングカード２０の挿入を検出させ、紙幣識別機１の紙幣搬送機構によって、挿入されたクリーニングカード２０を所定の形態で搬送させて、紙幣搬送経路部分をクリーニングさせる。【選択図】図２
2007193764.tif 000002
【特許請求の範囲】
【請求項１】
紙幣識別機の紙幣搬送経路部分をクリーニングするためのクリーニングカードに、前記紙幣識別機の紙幣識別用のセンサによって読み取り可能な識別情報を担持させ、
前記紙幣識別機によって、前記センサの読み取り情報に基づき、前記クリーニングカードの挿入を検出させ、
前記紙幣識別機の紙幣搬送機構によって、挿入された前記クリーニングカードを所定の形態で搬送させて、前記紙幣搬送経路部分をクリーニングすることを特徴とする紙幣識別機のクリーニング方法。
【請求項２】
請求項１に記載の紙幣識別機のクリーニング方法において、
前記クリーニングカードとして、異なる種類のものを用意し、
各クリーニングカードに担持させる前記識別情報には種類を表す情報を含めておき、
前記センサの読み取り情報に基づき、前記クリーニングカードがいずれの種類のものであるのかを識別させ、
識別された種類のクリーニングカードに予め対応付けされている形態で当該クリーニングカードを搬送させることを特徴とする紙幣識別機のクリーニング方法。
【請求項３】
請求項２に記載の紙幣識別機のクリーニング方法において、
前記紙幣搬送経路部分の汚れの程度および／または、前記紙幣搬送経路部分におけるクリーニング場所に対応した複数種類の前記クリーニングカードを用意することを特徴とする紙幣識別機のクリーニング方法。
【請求項４】
請求項１ないし３のうちのいずれかの項に記載の方法によりクリーニングを行う紙幣識別機であって、
クリーニングカードの種類に対応したクリーニング動作プログラムが格納されている記憶部と、
前記センサの読み取り情報に基づき、挿入された紙葉類がクリーニングカードであるか否か、および、クリーニングカードの種類を識別するクリーニングカード識別部と、
識別されたクリーニングカードの種類に対応付けされているクリーニング動作プログラムを読み出して実行する駆動制御部とを有していることを特徴とする紙幣識別機。
【請求項５】
請求項１ないし３のうちのいずれかの項に記載の方法に用いる紙幣識別機用クリーニングカードであって、
クリーニングカードである旨を表す情報が紙幣識別用のセンサによって読み取り可能な形態で担持されている情報担持部と、
所定の摩擦係数のクリーニング面、および／または、所定の表面荒さを備えたクリーニング面とを備えていることを特徴とする紙幣識別機用クリーニングカード。
【請求項６】
請求項５において、
前記情報担持部には、クリーニングカードの種類を表す情報が担持されていることを特徴とする紙幣識別機用クリーニングカード。
【請求項７】
請求項１ないし３のうちのいずれかの項に記載の紙幣識別機のクリーニング方法おいて、
前記クリーニングカード、前記紙幣識別機、および当該紙幣識別機を管理する管理コンピュータの少なくとも一つに、前記クリーニングカードを用いた前記紙幣識別機の前記紙幣搬送経路部分のクリーニング履歴情報を記憶保持させることを特徴とする紙幣識別機のクリーニング方法。
【請求項８】
請求項７において、
前記紙幣識別機および前記管理コンピュータの少なくとも一方によって、前記クリーニング履歴情報に基づき、前記クリーニングカードの交換の要否、および、前記紙幣識別機の前記紙幣搬送経路部分に用いられている部品の交換の要否の少なくとも一方を判断させ、交換が必要な場合にはその旨を報知させることを特徴とする紙幣識別機のクリーニング方法。
【請求項９】
請求項７または８において、
前記クリーニングカードに、前記クリーニング履歴情報として少なくとも、当該クリーニングカードの使用回数を担持させることを特徴とする紙幣識別機のクリーニング方法。
【請求項１０】
請求項７または８において、
前記紙幣識別機に、前記クリーニング履歴情報として少なくとも、当該紙幣識別の前記紙幣搬送経路部分におけるクリーニングの個所および回数を記憶させることを特徴とする紙幣識別機のクリーニング方法。
【請求項１１】
請求項７または８において、
前記管理コンピュータに、前記クリーニング履歴情報として少なくとも、使用された前記クリーニングカードとその使用回数、または、クリーニングされた前記紙幣識別機とそのクリーニングの個所および回数を記憶させることを特徴とする紙幣識別機のクリーニング方法。
【請求項１２】
請求項１０に記載の方法によりクリーニングを行う紙幣識別機であって、
クリーニングカードの種類に対応したクリーニング動作プログラムが格納されている記憶部と、
前記センサの読み取り情報に基づき、挿入された紙葉類がクリーニングカードであるか否か、および、クリーニングカードの種類を識別するクリーニングカード識別部と、
識別されたクリーニングカードの種類に対応付けされているクリーニング動作プログラムを読み出して実行する駆動制御部と、
前記クリーニングカードによる当該紙幣識別機の前記紙幣搬送経路部分におけるクリーニングの個所および回数を記憶するクリーニング履歴記憶部とを有していることを特徴とする紙幣識別機。
【請求項１３】
請求項１２に記載の紙幣識別機において、
前記クリーニング履歴記憶部に記憶されている前記クリーニング履歴情報に基づき、当該紙幣識別機の前記紙幣搬送経路部分に用いられている部品の交換の要否を判定する判定部と、
交換が必要な場合にはその旨を報知する報知部とを有していることを特徴とする紙幣識別機。
【請求項１４】
請求項９に記載の方法によりクリーニングを行う紙幣識別機であって、
クリーニングカードの種類に対応したクリーニング動作プログラムが格納されている記憶部と、
前記センサの読み取り情報に基づき、挿入された紙葉類がクリーニングカードであるか否か、および、クリーニングカードの種類を識別するクリーニングカード識別部と、
識別されたクリーニングカードの種類に対応付けされているクリーニング動作プログラムを読み出して実行する駆動制御部と、
挿入された前記クリーニングカードに担持されているクリーニング履歴情報を読み取るクリーニング履歴情報読み取り部とを有していることを特徴とする紙幣識別機。
【請求項１５】
請求項１４に記載の紙幣識別機において、
読み取られた前記クリーニング履歴情報に基づき、前記クリーニングカードの交換の要否を判定する判定部と、
交換が必要な場合にはその旨を報知する報知部とを有していることを特徴とする紙幣識別機。
【請求項１６】
請求項１４に記載の紙幣識別機において、
前記クリーニングカードから読み取られた前記クリーニング履歴情報を、当該紙幣識別機を管理する管理コンピュータに伝える通信部を有していることを特徴とする紙幣識別機。
【請求項１７】
請求項９に記載の方法に用いる紙幣識別機用クリーニングカードであって、
クリーニングカードである旨、およびその種類を表す情報が紙幣識別用のセンサによって読み取り可能な形態で担持されている情報担持部と、
所定の摩擦係数のクリーニング面、および／または、所定の表面荒さを備えたクリーニング面と、
前記クリーニング履歴情報が担持されているクリーニング履歴情報担持部とを有していることを特徴とする紙幣識別機用クリーニングカード。
【請求項１８】
請求項１７に記載の紙幣識別機用クリーニングカードにおいて、
前記クリーニング履歴情報担持部は、磁気記憶部、または、ＩＣメモリチップであることを特徴とする紙幣識別機用クリーニングカード。
【発明の詳細な説明】
【技術分野】
【０００１】
本発明は、遊技台用台間機、自動販売機、発券機などに搭載される紙幣識別機に関し、特に、紙粉などで汚れた紙幣搬送経路部分のクリーニング方法に関するものである。
【背景技術】
【０００２】
遊技店などにおける遊技台の間には、遊技台で用いるパチンコ玉などの遊技媒体を貸し出すための遊技台用台間機が配置されている。遊技台用台間機には、一般に、投入された紙幣を識別して、対応する金額の遊技媒体の貸し出しを行うことが出来るように、紙幣識別機が搭載されている。
【０００３】
紙幣識別機においては、長期使用の間に、紙幣挿入口などを介して外部から侵入した埃が、内部の紙幣搬送路部分に付着して堆積する。また、紙幣挿入口から挿入されて紙幣搬送路に沿って搬送される紙幣から発生する紙粉、紙幣に付着している異物なども紙幣搬送経路部分に付着して堆積する。例えば、紙幣搬送機構を構成している搬送ベルトの表面、搬送ローラの表面、紙幣識別用のホトセンサの受発光面、紙幣識別用の磁気ヘッドの表面などに異物が汚れとなって付着する。
【０００４】
このような紙幣搬送経路部分の汚れをクリーニングするための方法としては、クリーニング用シート（クリーニングカード）を紙幣挿入口から挿入して内部を搬送させる方法が知られており、特許文献１にはかかる方法が開示されている。当該特許文献に開示の方法では、紙幣収納部を一定時間の間に所定回数だけ連続して開閉させることにより、紙幣識別装置にクリーニングの開始を検知させるようにしている。紙幣識別装置は、クリーニングの開始を検知した後は、挿入されたクリーニング用シートを内部に取り込み、往復搬送させてクリーニングを行うようになっている。
【特許文献１】特開２００２−３５２２９６号公報
【発明の開示】
【発明が解決しようとする課題】
【０００５】
クリーニング用シート（クリーニングカード）を用いたクリーニング方法は、紙幣識別機を開けて、汚れが付着している紙幣搬送経路部分（搬送ベルトの表面、ローラ表面、センサ受発光面、磁気ヘッド表面などの紙幣が接触する部分あるいは紙幣が近接位置を通過する部分）を直接にクリーニングする必要がないので便利である。しかしながら、上記の特許文献に開示されているように、クリーニング用シートが排除されることなく、内部に取り込まれるようにするために、紙幣収納部を繰り返し開閉してクリーニングの開始を紙幣識別機に検知させるための操作が必要である。
【０００６】
また、従来におけるクリーニング用シートを用いた方法では、汚れの場所、汚れの程度に応じた適切なクリーニング動作を行うことができない。例えば、搬送ベルトは長期使用によって表面が硬化して紙幣搬送力が低下するので、クリーニング時に、その表面をヤスリ目などを用いて荒らす、あるいは剥ぎ取る動作を行うことが望ましい。また、汚れが激しい場合には、クリーニング用シートを長時間に亘って繰り返し往復搬送させる必要がある。しかしながら、従来においては、クリーニング用シートを用いてこのような多様なクリーニング動作を行うことができない。
【０００７】
さらに、従来におけるクリーニング用シートを用いた方法では、繰り返し使用して摩耗したクリーニング用シートがそのまま用いられて紙幣識別機のクリーニングを適切に行うことができず、クリーニング不良が発生する可能性がある。
【０００８】
さらにまた、クリーニング用シートにより繰り返しクリーニングされて摩耗した搬送ベルトなどがそのまま使用されて、紙幣搬送不良が発生する可能性がある。
【０００９】
本発明の課題は、このような点に鑑みて、特別の操作を行うことなく単にクリーニングカードを挿入するだけでクリーニング動作を行うことのできる紙幣識別機のクリーニング方法を提案することにある。
【００１０】
また、本発明の課題は、クリーニングカードを用いて、汚れの程度、汚れの場所に応じた適切な形態でクリーニング動作を行うことのできる紙幣識別機のクリーニング方法を提案することにある。
【００１１】
さらに、本発明の課題は、摩耗したクリーニングカードによるクリーニング不良を未然に防止可能な紙幣識別機のクリーニング方法を提案することにある。
【００１２】
さらにまた、本発明の課題は、クリーニングカードによるクリーニングによって摩耗した搬送ベルトなどの部品がそのまま継続して使用されてしまうことを未然に防止可能な紙幣識別機のクリーニング方法を提案することにある。
【課題を解決するための手段】
【００１３】
上記の課題を解決するために、本発明の紙幣識別機のクリーニング方法は、
紙幣識別機の紙幣搬送経路部分をクリーニングするためのクリーニングカードに、前記紙幣識別機の紙幣識別用のセンサによって読み取り可能な識別情報を担持させ、
前記センサの読み取り情報に基づき、前記クリーニングカードの挿入を検出させ、
前記紙幣識別機の紙幣搬送機構によって、挿入された前記クリーニングカードを所定の形態で搬送させて、前記紙幣搬送経路部分をクリーニングすることを特徴としている。
【００１４】
本発明では、紙幣識別機の紙幣識別用のセンサによって、クリーニングカードを識別可能としてある。したがって、クリーニングカードを挿入すると、紙幣識別機は挿入された紙葉類がクリーニングカードであると識別し、所定のクリーニング動作を行う。よって、紙幣収納部の開閉蓋を繰り返し開閉するなどの特別な操作を行って、紙幣識別機をクリーニング動作状態に切り替える必要がない。
【００１５】
次に、本発明の紙幣識別機のクリーニング方法では、前記クリーニングカードとして、異なる種類のものを用意し、各クリーニングカードに担持させる前記識別情報には種類を表す情報を含めておき、前記センサの読み取り情報に基づき、前記クリーニングカードがいずれの種類であるのかを識別させ、識別された種類のクリーニングカードに予め対応付けされている形態で当該クリーニングカードを搬送させることを特徴としている。
【００１６】
例えば、前記紙幣搬送経路部分の汚れの程度および／または、前記紙幣搬送経路部分におけるクリーニング場所に対応した複数種類の前記クリーニングカードが用意される。
【００１７】
本発明では、複数種類のクリーニングカードが用意され、紙幣識別用のセンサによってそれが識別される。よって、クリーニングカードを変えるのみで、汚れの程度、クリーニング場所に応じた適切なクリーニング動作を実現できる。
【００１８】
一方、本発明は、上記の方法によりクリーニングを行う紙幣識別機であって、クリーニングカードの種類に対応したクリーニング動作プログラムが格納されている記憶部と、前記センサの読み取り情報に基づき、挿入された紙葉類がクリーニングカードであるか否か、および、クリーニングカードの種類を識別するクリーニングカード識別部と、識別されたクリーニングカードの種類に対応付けされているクリーニング動作プログラムを読み出して実行する駆動制御部とを有していることを特徴としている。
【００１９】
次に、本発明は、上記の方法に用いる紙幣識別機用クリーニングカードであって、クリーニングカードである旨を表す情報が紙幣識別用のセンサによって読み取り可能な形態で担持されている情報担持部と、所定の摩擦係数のクリーニング面、および／または、所定の表面荒さを備えたクリーニング面とを備えていることを特徴としている。
【００２０】
ここで、前記情報担持部には、クリーニングカードの種類を表す情報が担持されていることが望ましい。
【００２１】
次に、本発明の紙幣識別機のクリーニング方法は、
紙幣識別機の紙幣搬送経路部分をクリーニングするためのクリーニングカードに、前記紙幣識別機の紙幣識別用のセンサによって読み取り可能な識別情報を担持させ、
前記センサの読み取り情報に基づき、前記クリーニングカードの挿入を検出させ、
前記紙幣識別機の紙幣搬送機構によって、挿入された前記クリーニングカードを所定の形態で搬送させて、前記紙幣搬送経路部分をクリーニングし、
前記クリーニングカード、前記紙幣識別機、および当該紙幣識別機を管理する管理コンピュータの少なくとも一つに、前記クリーニングカードを用いた前記紙幣識別機の前記紙幣搬送経路部分のクリーニング履歴情報を記憶保持させることを特徴としている。
【００２２】
本発明では、紙幣識別機の紙幣識別用のセンサによって、クリーニングカードを識別可能としてある。したがって、クリーニングカードを挿入すると、紙幣識別機は挿入された紙葉類がクリーニングカードであると識別し、所定のクリーニング動作を行う。よって、紙幣収納部の開閉蓋を繰り返し開閉するなどの特別な操作を行って、紙幣識別機をクリーニング動作状態に切り替える必要がない。
【００２３】
また、クリーニングカードによるクリーニング履歴情報を記憶保持しているので、当該クリーニング履歴情報に基づき、クリーニングカードが摩耗して交換時期になったか否か、紙幣識別機の紙幣搬送経路部分の搬送ベルトなどの部品がクリーニングによって摩耗して交換時期になったか否かを判断できる。よって、クリーニング履歴情報を参照することにより、擦り減ったクリーニングカードによるクリーニング不良、クリーニングによって擦り減った搬送ベルトなどによる紙幣の搬送不良などの不具合を未然に防止できる。
【００２４】
ここで、前記クリーニングカードとして、異なる種類のものを用意し、各クリーニングカードに担持させる前記識別情報には種類を表す情報を含めておき、前記センサの読み取り情報に基づき、前記クリーニングカードがいずれの種類であるのかを識別させ、識別された種類のクリーニングカードに予め対応付けされている形態で当該クリーニングカードを搬送させることができる。例えば、前記紙幣搬送経路部分の汚れの程度および／または、前記紙幣搬送経路部分におけるクリーニング場所に対応した複数種類の前記クリーニングカードを用意すればよい。
【００２５】
このように、複数種類のクリーニングカードを用意し、紙幣識別用のセンサによってそれを識別することにより、クリーニングカードを変えるのみで、汚れの程度、クリーニング場所に応じた適切なクリーニング動作を実現できる。
【００２６】
また、本発明では、クリーニングカードの交換時期、搬送ベルトなどの部品の交換時期を知るために、前記紙幣識別機および前記管理コンピュータの少なくとも一方によって、前記クリーニング履歴情報に基づき、前記クリーニングカードの交換の要否、および、前記紙幣識別機の前記紙幣搬送経路部分に用いられている部品の交換の要否の少なくとも一方を判断させ、交換が必要な場合にはその旨を報知させることを特徴としている。
【００２７】
ここで、クリーニングカードの交換時期を知るためには、前記クリーニングカードに、前記クリーニング履歴情報として少なくとも、当該クリーニングカードの使用回数を担持させればよい。使用回数が、当該クリーニングカードの使用可能回数に達した場合には、交換が必要である旨を報知すればよい。
【００２８】
また、搬送ベルトなどの交換時期を知るためには、前記紙幣識別機に、前記クリーニング履歴情報として少なくとも、当該紙幣識別機の前記紙幣搬送経路部分におけるクリーニングの個所および回数を記憶させればよい。
【００２９】
さらには、前記管理コンピュータに、前記クリーニング履歴情報として少なくとも、使用された前記クリーニングカードとその使用回数、または、クリーニングされた前記紙幣識別機とそのクリーニングの個所および回数を記憶させることもできる。
【００３０】
次に、前記紙幣識別機に、前記クリーニング履歴情報として少なくとも、当該紙幣識別機の前記紙幣搬送経路部分におけるクリーニングの個所および回数を記憶させるようにした上記の紙幣識別機のクリーニング方法に用いる紙幣識別機としては、次の構成のものを用いることができる。すなわち、紙幣識別機は、クリーニングカードの種類に対応したクリーニング動作プログラムが格納されている記憶部と、前記センサの読み取り情報に基づき、挿入された紙葉類がクリーニングカードであるか否か、および、クリーニングカードの種類を識別するクリーニングカード識別部と、識別されたクリーニングカードの種類に対応付けされているクリーニング動作プログラムを読み出して実行する駆動制御部と、前記クリーニングカードによる当該紙幣識別機の前記紙幣搬送経路部分におけるクリーニングの個所および回数を記憶するクリーニング履歴記憶部とを有している。
【００３１】
この場合、前記クリーニング履歴記憶部に記憶されている前記クリーニング履歴情報に基づき、当該紙幣識別機の前記紙幣搬送経路部分に用いられている部品の交換の要否を判定する判定部と、交換が必要な場合にはその旨を報知する報知部とを有する構成とすることが望ましい。
【００３２】
次に、前記クリーニングカードに、前記クリーニング履歴情報として少なくとも、当該クリーニングカードの使用回数を担持させるようにした上記の方法によりクリーニングを行う紙幣識別機としては、次の構成のものを用いることができる。すなわち、紙幣識別機は、クリーニングカードの種類に対応したクリーニング動作プログラムが格納されている記憶部と、前記センサの読み取り情報に基づき、挿入された紙葉類がクリーニングカードであるか否か、および、クリーニングカードの種類を識別するクリーニングカード識別部と、識別されたクリーニングカードの種類に対応付けされているクリーニング動作プログラムを読み出して実行する駆動制御部と、挿入された前記クリーニングカードに担持されているクリーニング履歴情報を読み取るクリーニング履歴情報読み取り部とを有している。
【００３３】
この場合、読み取られた前記クリーニング履歴情報に基づき、前記クリーニングカードの交換の要否を判定する判定部と、交換が必要な場合にはその旨を報知する報知部とを有する構成とすることが望ましい。
【００３４】
この代わりに、紙幣識別機に、前記クリーニングカードから読み取られた前記クリーニング履歴情報を、当該紙幣識別機を管理する管理コンピュータに伝える通信部を設けて、管理コンピュータの側において判定および報知を行わせるようにしてもよい。
【００３５】
次に、本発明は、前記クリーニングカードに、前記クリーニング履歴情報として少なくとも、当該クリーニングカードの使用回数を担持させるようにした上記の紙幣識別機のクリーニング方法に用いる紙幣識別機用クリーニングカードであって、クリーニングカードである旨、およびその種類を表す情報が紙幣識別用のセンサによって読み取り可能な形態で担持されている情報担持部と、所定の摩擦係数のクリーニング面、および／または、所定の表面荒さを備えたクリーニング面と、前記クリーニング履歴情報が担持されているクリーニング履歴情報担持部とを有していることを特徴としている。
【００３６】
ここで、前記クリーニング履歴情報担持部としては書き換え可能な記憶部、例えば、磁気記憶部、ＩＣメモリチップなどを用いることができる。
【発明の効果】
【００３７】
本発明の紙幣識別機のクリーニング方法では、クリーニングカードに、紙幣識別機の紙幣識別用のセンサによって読み取り可能な識別情報を担持させてあるので、紙幣を挿入する場合と同様にクリーニングカードを挿入するだけで、当該クリーニングカードが排除されることなく受け入れられ、所定のクリーニング動作が自動的に行われる。したがって、クリーニングカードを挿入するという極めて簡単な操作のみでクリーニングを行うことができる。
【００３８】
また、各種のクリーニングカードが用意され、これらの種別を紙幣識別用のセンサによって識別可能にしてあるので、クリーニングカードを変えるのみで、汚れの程度、クリーニング場所に応じた適切なクリーニング動作を行うことができる。
【００３９】
次に、本発明の紙幣識別機のクリーニング方法では、クリーニングカード、紙幣識別機、または管理コンピュータに、クリーニングカードによる紙幣識別機のクリーニング履歴を記憶保持させるようにしている。このクリーニング履歴に基づき、クリーニングカードの交換時期、紙幣識別機の紙幣搬送経路部分の搬送ベルトなどの部品の交換時期を事前に知ることができる。よって、擦り減ったクリーニングカードによるクリーニング不良の発生、クリーニングによって擦り減った搬送ベルトなどの部品をそのまま使用することによる紙幣搬送不良などの弊害を未然に防止できる。
【発明を実施するための最良の形態】
【００４０】
以下に、図面を参照して、本発明を適用した紙幣識別機のクリーニング方法の実施の形態を説明する。
【００４１】
（実施の形態１）
図１は本発明を適用した実施の形態１に係る紙幣識別機を示す概略構成図である。図２は紙幣識別機およびクリーニングカードを示す平面図である。紙幣識別機１は、その前面２に紙幣挿入口３を備え、内部には紙幣挿入口３から挿入された紙幣４あるいはクリーニングカード２０を搬送するための紙幣搬送路５が形成されている。紙幣搬送路５における紙幣挿入口３の近傍には、紙幣４の挿入を検出するためのホトセンサ６が配置されている。ホトセンサ６の奥には、紙幣搬送路５の下側に沿って、左右に搬送ベルト７Ａ、７Ｂが配置されている。搬送ベルト７Ａ、７Ｂは、それぞれ、駆動側ローラ８Ａ、８Ｂと、従動側ローラ９Ａ、９Ｂの間に架け渡されている。搬送ベルト７Ａ、７Ｂの途中位置にはガイドローラ１０Ａ、１０Ｂが配置されている。駆動側ローラ８Ａ、８Ｂは搬送モータ１１によって駆動される。
【００４２】
紙幣搬送路５の上側には、搬送ベルト７Ａ、７Ｂを介して、駆動側ローラ８Ａ、８Ｂ、従動側ローラ９Ａ、９Ｂおよびガイドローラ１０Ａ、１０Ｂをそれぞれ押圧している送りローラ１２Ａ、１２Ｂ、１３Ａ、１３Ｂおよび１４Ａ、１４Ｂが配置されている。
【００４３】
送りローラ１２Ａ、１２Ｂと、１３Ａ、１３Ｂの中間には、紙幣搬送路５に沿って搬送される紙幣を識別するために、例えば、３組の紙幣識別用のホトセンサ１５、１６、１７が幅方向に一定間隔で配置されている。各ホトセンサ１５〜１７は透過型ホトセンサであり、紙幣搬送路５の上側には発光素子１５ａ〜１７ａが配置され、紙幣搬送路５の下側には、受光素子１５ｂ〜１７ｂが対向配置されている。
【００４４】
各ホトセンサ１５〜１７の検出信号、およびホトセンサ６の検出信号は、駆動制御部１８に入力される。駆動制御部１８は、ホトセンサ６の検出信号に基づき、紙幣などの紙葉類が紙幣挿入口３から挿入されたことを検出すると、搬送モータ１１を駆動して、挿入された紙葉類を紙幣搬送路５に沿って内部に送り込む。紙幣搬送路５に沿って送り込まれる紙葉類の情報（光透過パターン）が３組の紙幣識別用の各ホトセンサ１５〜１７によって読み取られる。駆動制御部１８は、読み取られた紙幣情報を、記憶部１９に予め記憶保持されている紙幣識別情報と比較して、紙幣の種類、その真偽の識別を行う。たとえば、受け入れ可能な紙幣であると識別された場合には、紙幣搬送路５の下流端の開口部から不図示の紙幣収納部などに紙幣を送り込む。受け入れ不可の紙幣、あるいは偽札であると識別された場合には、そのような紙幣は逆送りして、紙幣挿入口３から排出する。
【００４５】
記憶部１９は、紙幣搬送路部分をクリーニングするために用いるクリーニングカード２０の種類に対応したクリーニング動作プログラムが格納されている記憶領域１９ａを備えている。また、駆動制御部１８は、紙幣識別用の各ホトセンサ１５〜１７の読み取り情報に基づき、挿入された紙葉類がクリーニングカードであるか否かを識別すると共に、クリーニングカードの種類を識別するクリーニングカード識別部１８ａとして機能する。さらに、駆動制御部１８は、クリーニングカードが挿入されたことを検出すると、当該クリーニングカードの種類に対応付けされているクリーニング動作プログラムを記憶領域１９ａから読み出して実行するクリーニング駆動制御部１８ｂとして機能するようになっている。
【００４６】
ここで、クリーニングカード２０によってクリーニングされる紙幣搬送経路部分には、搬送ベルト７Ａ、７Ｂおよび送りローラ１２Ａ〜１４Ｂ、紙幣搬送路５を規定しているガイド部材、ホトセンサ６の受発光面、各ホトセンサ１５〜１７の受発光面などの部分が含まれている。
【００４７】
クリーニングカード２０は、図２に示すように、紙幣識別機１によって識別可能な紙幣と同様な長方形をした薄いシート状のものであり、その長手方向の先端部分には、クリーニングカードである旨、および種類を表す情報が紙幣識別用の各ホトセンサ１５〜１７によって読み取り可能な形態で担持された情報担持領域２１が形成されている。本例の紙幣識別機１では、３組の透過型の各ホトセンサ１５〜１７によって紙幣情報を読み取るようになっている。したがって、情報担持領域２１には、各ホトセンサ１５〜１７の走査ラインに沿って、所定のパターンで光透過部２２、２３および２４が形成されている。
【００４８】
また、情報担持領域２１から外れているクリーニングカード２０の表面領域２０ａあるいは裏面領域２０ｂには、所定の摩擦係数のクリーニング面、および／または、所定の表面荒さを備えたクリーニング面が形成されている。図示の例では、表面領域２０ａおよび裏面領域２０ｂにおける各ホトセンサ１５〜１７の走査ラインに沿った部分に、細長い発光部クリーニング面２５ａ〜２７ａ、および、受光部クリーニング面２５ｂ〜２７ｂが形成されている。また、表面領域２０ａにおける両側の発光部クリーニング面２５ａ、２７ａの内側には、送りローラに対応する部位に、それぞれ、送りローラクリーニング面２８ａ、２９ａが形成されている。さらに、裏面領域２０ｂにおける両側の受光部クリーニング面２５ｂ、２７ｂの内側には、搬送ベルトに対応する部位に、搬送ベルトクリーニング面２８ｂ、２９ｂが形成されている。
【００４９】
なお、クリーニングカード２０としては、例えば、表面領域２０ａにのみクリーニング面が形成されたもの、裏面領域２０ｂにのみクリーニング面が形成されたもの、発光部クリーニング面２５ａ〜２７ａのみが形成されたもの、受光部クリーニング面２５ｂ〜２７ｂのみが形成されたもの、送りローラクリーニング面２８ａ、２９ａのみが形成されたもの、搬送ベルトクリーニング面２８ｂ、２９ｂのみが形成されたもの等、各種の形態のものを用意しておくことができる。これら各種類のクリーニングカードにおいては、その情報担持領域２１に、種類を表す情報が担持される。また、各種類のクリーニングカードに対応したクリーニング動作プログラムが記憶領域１９ａに保持されることになる。
【００５０】
次に、図３は本例の紙幣識別機１におけるクリーニング動作を示す概略フローチャートである。この図に従ってクリーニング動作例を説明する。紙幣識別機１の紙幣挿入口３に紙葉類が挿入されたことがホトセンサ６の出力によって検出されると、挿入された紙葉類の搬送が開始される（ステップＳＴ１、２）。搬送される紙葉類の担持情報が、３組の透過型の各ホトセンサ１５〜１７によって読み取られ（ステップＳＴ３）、これに基づき、挿入された紙葉類が紙幣であるか、クリーニングカード２０であるのかが識別される。挿入された紙葉類がクリーニングカード２０では無い場合には、通常の紙幣識別処理が行われる（ステップＳＴ４、ＳＴ５）。
【００５１】
挿入された紙葉類がクリーニングカード２０の場合には、紙幣識別機１がクリーニング動作モードに切り替わり（ステップＳＴ６）、クリーニングカード２０の種類に対応付けされているクリーニング動作プログラムを選択して、クリーニング動作を実行する（ステップＳＴ７、８）。例えば、紙幣搬送経路部分の汚れがひどい場合には、長時間に亘って繰り返しクリーニングカードを往復搬送するクリーニング動作に対応付けされている種類のクリーニングカード２０を挿入する。汚れが少ない場合には、短時間のクリーニング動作に対応付けされている種類のクリーニングカード２０を挿入する。搬送ベルト表面の削り取りを行う場合には、ヤスリ目が形成されたクリーニング面を備えた種類のクリーニングカード２０を挿入する。
【００５２】
クリーニング動作が終了すると（ステップＳＴ９）、紙幣識別機１は通常の動作モードに自動復帰して、次の紙葉類の挿入を待つ。
【００５３】
以上説明したように、本例では、紙幣識別機１の紙幣搬送経路部分のクリーニングを行うために用いるクリーニングカード２０に、紙幣識別用の各ホトセンサ１５〜１７によって読み取り可能な識別情報を担持させている。したがって、紙幣識別の場合と同様に、クリーニングカード２０を挿入すれば、紙幣識別機１は、挿入された紙葉類がクリーニングカードであると識別して、予め定められている搬送形態でクリーニングカード２０を搬送して、紙幣搬送経路部分のクリーニング動作を行う。したがって、紙幣識別機１を通常の紙幣識別モードからクリーニングモードに切り替えるための特別な操作が不要となり、極めて簡単に、クリーニングを行うことができる。
【００５４】
また、汚れの程度、汚れの箇所に応じて各種のクリーニングカード２０を用意し、これらのクリーニングカード２０にその種類を識別可能な情報を担持させ、これを紙幣識別機１によって識別させるようにできる。このようにすれば、クリーニングカードを選択して挿入することにより、汚れの程度、汚れの箇所に応じた最適なクリーニング動作を実行できるので、極めて便利である。
【００５５】
なお、本例では、紙幣識別用のセンサとして各ホトセンサ１５〜１７が備わっている紙幣識別機の例を説明したが、磁気ヘッドなどの異なる形式のセンサを備えた紙幣識別機についても本発明を同様に適用可能なことは勿論である。また、クリーニングカード２０も、上記の例に限定されるものではなく、各種の形態のクリーニング面を備えたものを用いることができる。
【００５６】
（実施の形態２）
図４は本発明を適用した実施の形態２に係る紙幣識別機を示す概略構成図である。図５は紙幣識別機およびクリーニングカードを示す平面図である。紙幣識別機１０１の基本構成は実施の形態１に係る紙幣識別機１と同一であり、その前面１０２に紙幣挿入口１０３を備え、内部には紙幣挿入口１０３から挿入された紙幣１０４あるいはクリーニングカード１２０を搬送するための紙幣搬送路１０５が形成されている。紙幣搬送路１０５における紙幣挿入口１０３の近傍には、紙幣１０４の挿入を検出するためのホトセンサ１０６が配置されている。ホトセンサ１０６の奥には、紙幣搬送路１０５の下側に沿って、左右に搬送ベルト１０７Ａ、１０７Ｂが配置されている。搬送ベルト１０７Ａ、１０７Ｂは、それぞれ、駆動側ローラ１０８Ａ、１０８Ｂと、従動側ローラ１０９Ａ、１０９Ｂの間に架け渡されている。搬送ベルト１０７Ａ、１０７Ｂの途中位置にはガイドローラ１１０Ａ、１１０Ｂが配置されている。駆動側ローラ１０８Ａ、１０８Ｂは搬送モータ１１１によって駆動される。
【００５７】
紙幣搬送路１０５の上側には、搬送ベルト１０７Ａ、１０７Ｂを介して、駆動側ローラ１０８Ａ、１０８Ｂ、従動側ローラ１０９Ａ、１０９Ｂおよびガイドローラ１１０Ａ、１１０Ｂをそれぞれ押圧している送りローラ１１２Ａ、１１２Ｂ、１１３Ａ、１１３Ｂおよび１１４Ａ、１１４Ｂが配置されている。
【００５８】
送りローラ１１２Ａ、１１２Ｂと、１１３Ａ、１１３Ｂの中間には、紙幣搬送路１０５に沿って搬送される紙幣を識別するために、例えば、３組の紙幣識別用のホトセンサ１１５、１１６、１１７が幅方向に一定間隔で配置されている。各ホトセンサ１１５〜１１７は透過型ホトセンサであり、紙幣搬送路１０５の上側には発光素子１１５ａ〜１１７ａが配置され、紙幣搬送路１０５の下側には、受光素子１１５ｂ〜１１７ｂが対向配置されている。
【００５９】
各ホトセンサ１１５〜１１７の検出信号、およびホトセンサ１０６の検出信号は、駆動制御部１１８に入力される。駆動制御部１１８は、ホトセンサ１０６の検出信号に基づき、紙幣などの紙葉類が紙幣挿入口１０３から挿入されたことを検出すると、搬送モータ１１１を駆動して、挿入された紙葉類を紙幣搬送路１０５に沿って内部に送り込む。紙幣搬送路１０５に沿って送り込まれる紙葉類の情報（光透過パターン）が３組の紙幣識別用の各ホトセンサ１１５〜１１７によって読み取られる。
【００６０】
駆動制御部１１８は、読み取られた紙幣情報を、記憶部１１９に予め記憶保持されている紙幣識別情報と比較して、紙幣の種類、その真偽の識別を行う。たとえば、受け入れ可能な紙幣であると識別された場合には、紙幣搬送路１０５の下流端の開口部から不図示の紙幣収納部などに紙幣を送り込む。受け入れ不可の紙幣、あるいは偽札であると識別された場合には、そのような紙幣は逆送りして、紙幣挿入口１０３から排出する。
【００６１】
記憶部１１９は、紙幣搬送路部分をクリーニングするために用いるクリーニングカード１２０の種類に対応したクリーニング動作プログラムが格納されている記憶領域１１９ａを備えている。また、駆動制御部１１８は、紙幣識別用の各ホトセンサ１１５〜１１７の読み取り情報に基づき、挿入された紙葉類がクリーニングカード１２０であるか否かを識別すると共に、クリーニングカードの種類を識別するクリーニングカード識別部１１８ａとしての機能を備えている。さらに、駆動制御部１１８は、クリーニングカード１２０が挿入されたことを検出すると、当該クリーニングカード１２０の種類に対応付けされているクリーニング動作プログラムを記憶領域１１９ａから読み出して実行するクリーニング駆動制御部１１８ｂとしての機能も備わっている。
【００６２】
ここで、本例の紙幣識別機１０１は、磁気ヘッド１３１を備えたカードリーダ・ライタ１３０を備えている。磁気ヘッド１３１は、搬送方向においては、送りローラ１１３Ａ、１１３Ｂと、ホトセンサ１１５〜１１７の間に配置されており、搬送方向に直交する方向においては、送りローラ１１３Ａと中央のホトセンサ１１６の発光素子１１６ａの間に配置されている。磁気ヘッド１３１によって、紙幣搬送路１０５に沿って搬送されるクリーニングカード１２０に対して磁気記憶情報の読み書きを行うことができるようになっている。
【００６３】
また、駆動制御部１１８には、挿入されたクリーニングカード１２０の交換の要否を判定するための判定部１１８ｃとしての機能が備わっている。判定部１１８ｃは、カードリーダ・ライタ１３０で読み取られたクリーニングカード１２０に担持されているクリーニング履歴情報１４０に基づき、クリーニングカード１２０が交換すべき時期に至ったものであるか否かを判定する。
【００６４】
例えば、クリーニング履歴情報１４０には、クリーニングカード１２０の使用回数が含まれている。この場合には、使用回数が予め定めた上限値に達したときにはクリーニングカード１２０が交換時期に至っていると判定し、駆動制御部１１８は、表示制御部１５０を介して、表示部１５１（報知部）を駆動制御して、クリーニングカード１２０を交換すべき旨の警告表示を行うようになっている。
【００６５】
使用回数が上限値に達していない場合には、駆動制御部１１８は、当該クリーニングカード１２０の種類に対応付けされているクリーニング動作プログラムを記憶領域１１９ａから読み出して実行した後に、使用回数として「１」加算した値を、カードリーダ・ライタ１３０を介して、クリーニングカード１２０に書き込む。このように、クリーニング履歴情報である使用回数に基づき、クリーニングカード１２０が擦り減って交換時期に至ったか否かを知ることができる。勿論、使用回数の上限値を記憶しておき、クリーニング毎に減算処理を行って、減算結果が「０」になった場合に交換時期である旨を表示するようにしてもよい。
【００６６】
なお、本例におけるクリーニングカード１２０によってクリーニングされる紙幣搬送経路部分には、搬送ベルト１０７Ａ、１０７Ｂおよび送りローラ１１２Ａ〜１１４Ｂ、紙幣搬送路１０５を規定しているガイド部材、ホトセンサ１０６の受発光面、各ホトセンサ１１５〜１１７の受発光面が含まれている。
【００６７】
次に、クリーニングカード１２０は、図５に示すように、紙幣識別機１０１によって識別可能な紙幣と同様な長方形をした薄いシート状のものであり、その長手方向の先端部分には、クリーニングカードである旨、および種類を表す情報が紙幣識別用の各ホトセンサ１１５〜１１７によって読み取り可能な形態で担持された情報担持領域１２１が形成されている。本例の紙幣識別機１０１では、３組の透過型の各ホトセンサ１１５〜１１７によって紙幣情報を読み取るようになっている。したがって、情報担持領域１２１には、各ホトセンサ１１５〜１１７の走査ラインに沿って、所定のパターンで光透過部１２２、１２３および１２４が形成されている。
【００６８】
また、情報担持領域１２１から外れているクリーニングカード１２０の表面領域１２０ａあるいは裏面領域１２０ｂには、所定の摩擦係数のクリーニング面、および／または、所定の表面荒さを備えたクリーニング面が形成されている。図示の例では、表面領域１２０ａおよび裏面領域１２０ｂにおける各ホトセンサ１１５〜１１７の走査ラインに沿った部分に、細長い発光部クリーニング面１２５ａ〜１２７ａ、および、受光部クリーニング面１２５ｂ〜１２７ｂが形成されている。また、表面領域１２０ａにおける両側の発光部クリーニング面１２５ａ、１２７ａの内側には、送りローラに対応する部位に、それぞれ、送りローラクリーニング面１２８ａ、１２９ａが形成されている。さらに、裏面領域１２０ｂにおける両側の受光部クリーニング面１２５ｂ、１２７ｂの内側には、搬送ベルトに対応する部位に、搬送ベルトクリーニング面１２８ｂ、１２９ｂが形成されている。
【００６９】
ここで、本例のクリーニングカード１２０の表面領域１２０ａには、磁気ヘッド１３１の走査ラインに沿った部分に、磁気記憶領域からなる書き換え可能なクリーニング履歴情報担持部１６０が形成されている。クリーニング履歴情報担持部１６０には、当該クリーニングカード１２０の使用回数（クリーニング履歴情報１４０）が記憶保持されている。上記のように、クリーニング動作を行う毎に、紙幣識別機１０１によって使用回数が「１」ずつ加算されるようになっている。
【００７０】
なお、クリーニングカード１２０としては、例えば、表面領域１２０ａにのみクリーニング面が形成されたもの、裏面領域１２０ｂにのみクリーニング面が形成されたもの、発光部クリーニング面１２５ａ〜１２７ａのみが形成されたもの、受光部クリーニング面１２５ｂ〜１２７ｂのみが形成されたもの、送りローラクリーニング面１２８ａ、１２９ａのみが形成されたもの、搬送ベルトクリーニング面１２８ｂ、１２９ｂのみが形成されたもの等、各種の形態のものを用意しておくことができる。これら各種類のクリーニングカードにおいては、その情報担持領域１２１に、種類を表す情報が担持される。また、各種類のクリーニングカードに対応したクリーニング動作プログラムが記憶領域１１９ａに保持されることになる。
【００７１】
また、クリーニング履歴情報担持部１６０に担持されるクリーニング履歴情報１４０としては、使用回数の他に、クリーニング日時、クリーニングした紙幣識別機を特定するための識別情報などを含めることもできる。
【００７２】
さらに、本例のクリーニングカード１２０では、クリーニング履歴情報担持部１６０として磁気記憶領域を形成してある。この代わりに、ＩＣメモリチップをクリーニングカード１２０に埋め込み、紙幣識別機１０１の側には、当該ＩＣメモリチップに対して情報の読み書きを行うリーダライタを配置してもよい。ＩＣメモリチップとしては例えば非接触型のものを用いることができる。勿論、これ以外の書き換え可能な記憶手段を用いることもできる。
【００７３】
これに加えて、本例の駆動制御部１１８では、カード１２０が交換時期に至っていると判定した場合には、表示制御部１５０を介して表示部１５１を駆動制御して、クリーニングカード１２０を交換すべき旨の警告表示を行うようにしている。このような警告表示を行う報知部としては、ブザーなどを用いることもできる。また、紙幣識別器１０１が接続され、あるいは組み込まれている制御機器の側に配置されている表示部などの報知部に、警告表示を行うようにしてもよい。
【００７４】
本例の紙幣識別機１０１およびクリーニングカード１２０を用いた場合においても、上記の実施の形態１の場合と同様な作用効果が得られる。
【００７５】
これに加えて、本例においては、クリーニングカード１２０の使用回数がクリーニングの開始時に確認されるので、当該使用回数に基づき、クリーニングカード１２０が擦り減って交換時期に至っているか否かを判定でき、交換時期に至っている場合にはその旨の警告表示が行われる。したがって、擦り減ったクリーニングカード１２０を交換せずに用いてクリーニング不良が発生するという不具合を未然に防止できる。
【００７６】
（実施の形態３）
図６は本発明を適用した実施の形態３に係る紙幣識別機を示す概略構成図である。本例の紙幣識別機２０１の基本構成は上記の実施の形態２に係る紙幣識別機１０１と同一であり、対応する部位には同一の符号を付し、それらの説明は省略する。また、本例のクリーニングカード２２０は上記のクリーニングカード１２０と同一であるので、対応する部位には同一の符号を付し、それらの説明は省略する。
【００７７】
本例の紙幣識別機２０１では、その記憶部２１９に、当該紙幣識別機の紙幣搬送路部分のクリーニング履歴情報を記憶保持するためのクリーニング履歴情報記憶部２１９ａが備わっている。クリーニング履歴情報には、例えば、当該紙幣識別機２０１のクリーニングのために使用されたクリーニングカード２２０の種類、各種類のクリーニングカード２２０の使用回数、当該クリーニングカード２２０のクリーニング対象部品、および当該クリーニング対象部品の交換時期の判断に用いるクリーニング回数が対応付けした形態で記憶保持されている。
【００７８】
駆動制御部２１８は、クリーニングカード２２０を用いたクリーニング動作が行われる毎に、クリーニング履歴情報記憶部２１９ａを更新する。また、搬送ベルトなどのようなクリーニングによって摩耗する部品がクリーニングされた場合には、クリーニング回数を「１」加算した値に更新する。また、駆動制御部２１８の判定部２１８ｃでは、クリーニング回数が予め定めた上限値に達した場合には、当該クリーニング対象部品が交換時期に至ったものと判定して、その旨を表示部１５１(報知部）に警告表示するようになっている。
【００７９】
本例の紙幣識別機２０１およびクリーニングカード２２０を用いた場合においても、上記の実施の形態２の場合と同様な作用効果が得られる。
【００８０】
また、本例によれば、紙幣識別機２０１のクリーニング対象部品が交換時期に至ったか否かをクリーニング動作時に監視している。したがって、クリーニングによって擦り減った搬送ベルトなどをそのまま用いて紙幣搬送不良などの不具合が発生することを未然に防止できる。
【００８１】
（実施の形態４）
図７は本発明を適用した実施の形態４に係る紙幣識別機システムを示す概略構成図であり、図８は紙幣識別機およびクリーニングカードを示す平面図である。本例の紙幣識別機システム３００は、紙幣識別機３０１と、当該紙幣識別機３０１を管理するための上位の管理コンピュータ４００とを有している。紙幣識別機３０１およびクリーニングカード３２０の基本構成は実施の形態１の場合と同様であるので、対応する部位には同一の符号を付し、それらの説明を省略する。
【００８２】
本例の紙幣識別機３０１は、挿入されたクリーニングカード３２０を特定するためのクリーニングカード識別情報を読み取るためのバーコードセンサ３８０を備えている。クリーニングカード３２０にはクリーニングカード識別情報がバーコード３８１の形態で担持されている。クリーニングカード３２０の種類などを表す情報担持領域２１にクリーニングカード識別情報を担持させることもでき、この場合には、ホトセンサの出力からクリーニングカード識別情報が得られる。
【００８３】
クリーニングカード３２０を用いたクリーニング動作が行われると、紙幣識別機３０１の通信部３９０を介して、管理コンピュータ４００に向けて、当該紙幣識別機３０１を特定するための識別機情報と、紙幣識別機３０１で読み取られたクリーニングカード識別情報が送信される。
【００８４】
管理コンピュータ４００は、各クリーニングカード３２０の使用履歴情報および各紙幣識別機３０１のクリーニング履歴情報を記憶保持した記憶部４１０、４２０を備えている。使用履歴情報には、各クリーニングカード３２０の使用回数が含まれている。使用回数が予め定めた上限値に達すると、管理コンピュータ４００は当該クリーニングカード３２０が交換時期に至ったと判定し、その旨を、例えば、管理コンピュータ４００に接続されている表示装置５００の表示画面に警告表示する。
【００８５】
また、クリーニング履歴情報には、各紙幣識別機３０１の各クリーニング対象部品のクリーニング回数が含まれている。クリーニング回数が予め定めた上限値に達すると、管理コンピュータ４００は当該クリーニング対象部品が交換時期に至ったと判定し、その旨を、例えば、表示装置５００の表示画面に警告表示する。
【００８６】
このように、本例では、紙幣識別機３０１を管理している管理コンピュータ４００の側において、各クリーニングカード３２０の交換時期、および、各紙幣識別機３０１のクリーニング対象部品の交換時期を監視している。この構成によっても、上記の各実施の形態１〜３における場合と同様な作用効果を得ることができる。
【図面の簡単な説明】
【００８７】
【図１】本発明を適用した実施の形態１に係る紙幣識別機の概略構成図である。
【図２】（ａ）は図１の紙幣識別機の平面図であり、（ｂ）はクリーニングカードの平面図である。
【図３】図１の紙幣識別機のクリーニング動作を示す概略フローチャートである。
【図４】本発明を適用した実施の形態２に係る紙幣識別機の概略構成図である。
【図５】図４の紙幣識別機およびクリーニングカードの平面図である。
【図６】本発明を適用した実施の形態３に係る紙幣識別機を示す概略構成図である。
【図７】本発明を適用した実施の形態４に係る紙幣識別機システムを示す概略構成図である。
【図８】図７の紙幣識別機およびクリーニングカードの平面図である。
【符号の説明】
【００８８】
１、１０１、２０１、３０１  紙幣識別機
３、１０３、  紙幣挿入口
４、１０４  紙幣
５、１０５  紙幣搬送路
６、１０６  ホトセンサ
７Ａ、７Ｂ、１０７Ａ、１０７Ｂ  搬送ベルト
８Ａ、８Ｂ、１０８Ａ、１０８Ｂ  駆動側ローラ
９Ａ、９Ｂ、１０９Ａ、１０９Ｂ  従動側ローラ
１０Ａ、１０Ｂ、１１０Ａ、１１０Ｂ  ガイドローラ
１１、１１１  搬送モータ
１２Ａ〜１４Ｂ、１１２Ａ〜１１４Ｂ  送りローラ
１５〜１７、１１５〜１１７  紙幣識別用のホトセンサ
１５ａ〜１７ａ、１１５ａ〜１１７ａ  発光素子
１５ｂ〜１７ｂ、１１５ｂ〜１１７ｂ  受光素子
１８、１１８、２１８  駆動制御部
１８ａ、１１８ａ  クリーニングカード識別部
１８ｂ、１１８ｂ  クリーニング駆動制御部
１９、１１９  記憶部
１９ａ、１１９ａ  記憶領域
２０、１２０、２２０  クリーニングカード
２０ａ、１２０ａ  表面領域
２０ｂ、１２０ｂ  裏面領域
２１、１２１  情報担持領域
２２〜２４、１２２〜１２４  光透過部
２５ａ〜２７ａ、１２５ａ〜１２７ａ  発光部クリーニング面
２５ｂ〜２７ｂ、１２５ｂ〜１２７ｂ  受光部クリーニング面
２８ａ、２９ａ、１２８ａ、１２９ａ  ローラクリーニング面
２８ｂ、２９ｂ、１２８ｂ、１２９ｂ  搬送ベルトクリーニング面
１３０  カードリーダ・ライタ
１３１  磁気ヘッド
１４０  クリーニング履歴情報
１５０  表示制御部
１５１  表示部
１６０  クリーニング履歴情報担持部
２１９ａ  クリーニング履歴情報記憶部
３８０  バーコードセンサ
３８１  バーコード
３９０  通信部
４００  管理コンピュータ
４１０、４２０  記憶部
５００  表示装置
【図１】
2007193764.tif 000003
【図２】
2007193764.tif 000004
【図３】
2007193764.tif 000005
【図４】
2007193764.tif 000006
【図５】
2007193764.tif 000007
【図６】
2007193764.tif 000008
【図７】
2007193764.tif 000009
【図８】
2007193764.tif 000010